【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
高い熱容量の触媒装置内における一定の最小量よりも多い、可燃物質などの化学反応手段を含む流体量を処理するための方法であって、
入口を通じて前記流体量を前記触媒装置に送る工程、
少なくとも１つの反応通路区画を含む前記触媒装置の１つまたは複数の通路区画内の温度を制御する工程、および
出口を通じて前記触媒装置から処理済みの流体量を放出する工程を有し、
前記高い熱容量は、前記流体の質量流に関して、前記装置の高質量により確立され、
前記装置は熱伝達棒、板および/または２０〜５，０００の実質的に平行な管を含む
ことを特徴とする方法。
【請求項２】
前記少なくとも１つの反応通路区画は、主熱伝達通路区画と熱交換し、および／または前記少なくとも１つの反応通路区画は、１つまたは複数の先行する入口通路区画および／または１つまたは複数の後続の出口通路区画と熱交換する請求項１に記載の方法。
【請求項３】
前記流体量は、向流内で前記後続通路区画を通して導かれる請求項２に記載の方法。
【請求項４】
一定の最小量よりも多い、可燃物質などの化学反応手段を含む流体量を処理するための触媒装置（１）であって、
前記流体量用の少なくとも１つの入口（２）および出口（８）、および
１つまたは複数の種類の触媒物質（４）を含む少なくとも１つの反応通路区画を有する１つまたは複数の通路区画（３、５、１１、２２）を有し、
前記装置はさらに、前記少なくとも１つの通路区画（３、５、１１、２２、４２）のうちの１つまたは複数における前記温度を制御するための一体型熱伝達手段を有し、
前記手段は、前記流体の質量流に関して、前記装置の高質量により確立される高い熱容量により前記温度を制御し、および
前記手段は、熱伝達棒、板（３７）および/または２０〜５，０００の実質的に平行な管を有することを特徴とする触媒装置（１）。
【請求項５】
前記触媒装置は、少なくとも２つの通路区画（３、５、１１、２２）を有する請求項４に記載の触媒装置（１）。
【請求項６】
前記装置は、少なくとも１つの外部絶縁層（１３）を有する請求項４または５に記載の触媒装置（１）。
【請求項７】
前記手段は、前記区画（３、５、１１、２２）間の相互熱交換により少なくとも１つの内部熱交換器（ｈ）を形成するために、前記通路区画（３、５、１１、２２）の位置決めをする請求項５または６に記載の触媒装置（１）。
【請求項８】
前記少なくとも１つの反応通路区画は、主熱伝達通路区画との熱交換器を確立し、および／または前記少なくとも１つの反応通路区画は、１つまたは複数の先行する入口通路区画および／または１つまたは複数の後続の出口通路区画との熱交換器を確立する請求項５〜７のいずれかに記載の触媒装置（１）。
【請求項９】
前記反応通路区画（３）は、例えば、前記区画を囲むことにより、前記主熱伝達通路区画（５）の上、前記主熱伝達通路区画（５）と並んで、または前記主熱伝達通路区画（５）の外に配置され、前記反応通路区画（３）は、前記少なくとも２つの通路区画（３、５、１１、２２）の前記主熱伝達通路区画（５）と熱交換し、および/または前記反応通路区画（３）は、向流内で前記主熱伝達通路区画（５）と熱交換する請求項８に記載の触媒装置（１）。
【請求項１０】
前記反応通路区画（３）の断面積は、前記主熱伝達通路区画（５）の断面積の０．５から１００倍、例えば１０から２５倍、好ましくは約２０倍であり、および／または前記入口または出口通路区画（１１、２２）の断面積は、前記主熱伝達通路区画（５）の断面積の０．５から１００倍である請求項８または９に記載の触媒装置（１）。
【請求項１１】
前記主熱伝達通路区画（５）の断面積は、前記触媒装置の前記入口（２）の断面積の０．５から１０倍、例えば１．５から２．５倍、好ましくは約２倍であり、前記入口管（２）は接続されている内燃機関の前記排気管である請求項８〜１０のいずれかに記載の触媒装置（１）。
【請求項１２】
前記主熱伝達通路区画（５）などの前記少なくとも１つの通路区画は、１つまたは複数の実質的に平行な管を有する請求項４〜１１のいずれかに記載の触媒装置（１）。
【請求項１３】
前記主熱伝達通路区画（５）は、前記反応通路区画（３）内の多数の管として一体化されており、および/または前記の管の本数は、２０本から５，０００本であり、好ましくは５０本から１，０００本である請求項１２に記載の触媒装置（１）。
【請求項１４】
前記管は、三角形、四角形、または類似のパターンなどの対称的パターンまたはランダムなパターンを形成し、前記管は、１つまたは複数の担体手段（１７〜２１）上に蒸着された触媒物質（４）により囲まれ、および/または前記管は、円形、楕円形、三角形、四辺形、または類似の規則正しいまたは不規則な断面形状を有する請求項１２または１３に記載の触媒装置（１）。
【請求項１５】
前記触媒物質（４）は、前記少なくとも１つの通路区画（３、５、１１、２２、４２）のうちの、１つまたは複数の担体手段（１７〜２１）上に蒸着される請求項４〜１４のいずれかに記載の触媒装置（１）。
【請求項１６】
前記１つまたは複数の担体手段（１７〜２１）は、金属、セラミック、ガラス、またはその他の耐熱物質、さらには前記物質の組合せからなる請求項１５に記載の触媒装置（１）。
【請求項１７】
前記１つまたは複数の担体手段（１８）は、球形、円柱形、または四角形、さらには鞍形、輪、規則正しいまたは不規則な形などの少なくとも１つの形状を有する請求項１５または１６に記載の触媒装置（１）。
【請求項１８】
前記１つまたは複数の担体手段（１７〜２１）は、前記通路区画の１つに多数の規則正しいまたは不規則なペレットまたは球（１８）を層（Ｌ）状に敷き詰めたものを含み、それぞれの層は２つの隣接する管の間に垂直に配置され、前記層はそれぞれ２から６個、例えば２から４個、好ましくは２から３個のペレットを含む請求項１５〜１７のいずれかに記載の触媒装置（１）。
【請求項１９】
前記少なくとも１つの通路区画（３、５、１１、２２、４２）のうちの前記通路区画（３）は、前記担体手段（１７〜２１）上に蒸着された１つまたは複数の種類の前記触媒物質（４）を含む請求項１５〜１８のいずれかに記載の触媒装置（１）。
【請求項２０】
前記触媒物質（４）は、金（Ａｕ）、白金（Ｐｔ）、銀（Ａｇ）、アルミニウム（Ａｌ）、鉛（Ｐｂ）、ジルコニウム（Ｚｒ）、銅（Ｃｕ）、コバルト（Ｃｏ）、ニッケル（Ｎｉ）、鉄（Ｆｅ）、セリウム（Ｃｅ）、クロム（Ｃｒ）、スズ（Ｓｎ）、マンガン（Ｍｎ）、およびロジウム（Ｒｈ）の酸化物またはそれらの組合せなどの金属酸化物を含む請求項１５〜１９のいずれかに記載の触媒装置（１）。
【請求項２１】
内燃機関から出る排気ガスを洗浄するため、請求項１〜３のいずれかに記載の触媒装置内の一定の最小量よりも多い可燃物質などの化学反応手段を含む、流体量を処理するための方法の使用。
【請求項２２】
化学工業用途における発熱または吸熱化学反応に関連する温度調整または制御のため、または、燃料電池における、もしくは燃料電池に関連した温度調整または制御のため、請求項１〜３のいずれかに記載の触媒装置内の一定の最小量よりも多い可燃物質などの化学反応手段を含む、流体量を処理するための方法の使用。
【請求項２３】
発電所、例えば熱併給発電所などでのガソリン、ディーゼル油、天然ガス、液化石油ガス、または気体、液体、または固体燃料を燃料とするエンジンなどの定置燃焼機関に関連するか、または、発電所、例えば熱併給発電所などでのガソリン、ディーゼル油、天然ガス、液化石油ガス、または気体、液体、または固体燃料を燃料とするエンジンなどの定置燃焼機関に関連する請求項４〜２０のいずれかに記載の触媒装置の使用。
【請求項２４】
工業用途における発熱または吸熱化学反応に関連するか、または、燃料電池における、または、燃料電池に関連する温度調整または制御での請求項４〜２０のいずれかに記載の触媒装置の使用。